(57)【要約】【課題】原子力プラントの原子炉水中に複数種類の薬剤を同時に注入可能であるとともに、低コストかつ迅速に導入可能な薬剤注入システムおよび薬剤注入方法を提供すること。【解決手段】本発明に係る薬剤注入システム１は、発電プラント用配管５を介して発電プラント２の水使用系統に薬剤含有水を注入する薬剤注入システム１であって、循環配管１１と循環ポンプ１２と混合槽１３とを有する循環系統１０と、亜鉛含有水を循環系統１０に注入する亜鉛注入系統２０と、防食剤含有水を循環系統１０に注入する防食剤注入系統３０と、鉄含有水を循環系統１０に注入する鉄注入系統４０と、水質調整物質含有水を循環系統１０に注入する水質調整物質注入系統５０と、循環系統１０中の薬剤含有水を採取するサンプリング系統６０とを備え、発電プラント用配管５は、循環系統１０に接続される。【選択図】  図１
2011163828.tif 000002
【特許請求の範囲】
【請求項１】
発電プラント用配管を介して発電プラントの水使用系統に薬剤含有水を注入する薬剤注入システムであって、
前記薬剤含有水が流通する循環配管と、この循環配管中の前記薬剤含有水を循環させる循環ポンプと、前記循環配管の途中に設けられ前記薬剤含有水を調製する混合槽とを有する循環系統と、
水中に亜鉛含有物質を含む亜鉛含有水を亜鉛含有水タンクから前記循環系統の循環配管に注入する亜鉛注入系統と、
水中に防食剤または防食剤生成原料を含む防食剤含有水を防食剤含有水タンクから前記循環系統の循環配管に注入する防食剤注入系統と、
水中に鉄含有物質を含む鉄含有水を鉄含有水タンクから前記循環系統の循環配管に注入する鉄注入系統と、
水中に水質調整物質を含む水質調整物質含有水を水質調整物質含有水タンクから前記循環系統の循環配管に注入する水質調整物質注入系統と、
前記循環系統中の前記薬剤含有水を採取するサンプリング系統とを備え、
前記発電プラント用配管は前記循環系統の循環配管に接続されることを特徴とする薬剤注入システム。
【請求項２】
前記亜鉛注入系統は、前記亜鉛含有水を収容する亜鉛含有水タンクと、この亜鉛含有水タンクと前記循環系統の循環配管とを接続する亜鉛含有水配管と、この亜鉛含有水配管中の前記亜鉛含有水を前記循環系統の循環配管に注入する亜鉛含有水ポンプとを有し、
前記防食剤注入系統は、前記防食剤含有水を収容する防食剤含有水タンクと、この防食剤含有水タンクと前記循環系統の循環配管とを接続する防食剤含有水配管と、この防食剤含有水配管中の前記防食剤含有水を前記循環系統の循環配管に注入する防食剤含有水ポンプとを有し、
前記鉄注入系統は、前記鉄含有水を収容する鉄含有水タンクと、この鉄含有水タンクと前記循環系統の循環配管とを接続する鉄含有水配管と、この鉄含有水配管中の前記鉄含有水を前記循環系統の循環配管に注入する鉄含有水ポンプとを有し、
前記水質調整物質注入系統は、前記水質調整物質含有水を収容する水質調整物質含有水タンクと、この水質調整物質含有水タンクと前記循環系統の循環配管とを接続する水質調整物質含有水配管と、この水質調整物質含有水配管中の前記水質調整物質含有水を前記循環系統の循環配管に注入する水質調整物質含有水ポンプとを有し、
前記サンプリング系統は、前記循環系統中の前記薬剤含有水を採取するサンプリング配管を有することを特徴とする請求項１に記載の薬剤注入システム。
【請求項３】
前記循環系統の循環配管または混合槽の少なくとも一方には、この循環配管内の前記薬剤含有水を加熱する外部ヒーターおよび内部ヒーターのうち少なくともいずれか一方がさらに設けられることを特徴とする請求項１に記載の薬剤注入システム。
【請求項４】
前記サンプリング系統で採取された薬剤含有水の水質および化学種濃度を分析する分析装置と、
この分析装置で分析された前記水質および化学種濃度の分析データが集積されるデータ格納部と、このデータ格納部に集積された前記分析データに基いて、前記循環系統の循環配管中の薬剤含有水が所定の水質および化学種濃度になるように、前記亜鉛注入系統の亜鉛含有水、前記防食剤注入系統の防食剤含有水、前記鉄注入系統の鉄含有水、および前記水質調整物質注入系統の水質調整物質含有水から選ばれる１種以上の含有水の前記循環系統の循環配管への適切な注入量を算出するとともに、算出された適切な注入量に基いて前記亜鉛含有水、前記防食剤含有水、前記鉄含有水、および前記水質調整物質含有水から選ばれる１種以上の含有水の前記循環系統の循環配管への注入量をフィードバック制御する演算制御部とを有する薬剤含有水制御装置と、
をさらに備えることを特徴とする請求項１に記載の薬剤注入システム。
【請求項５】
前記薬剤含有水制御装置は、
前記亜鉛含有水、前記防食剤含有水、および前記鉄含有水から選ばれる１種以上の含有水の前記循環系統の循環配管への注入量をフィードバック制御する第１フィードバック制御と、
前記水質調整物質含有水の前記循環系統の循環配管への注入量をフィードバック制御する第２フィードバック制御と、
を組み合わせてフィードバック制御することを特徴とする請求項３に記載の薬剤注入システム。
【請求項６】
前記薬剤含有水制御装置でフィードバック制御される水質は、ｐＨ、導電率、粘度、溶存酸素濃度、および溶存水素濃度から選ばれる１種以上の項目からなることを特徴とする請求項４に記載の薬剤注入システム。
【請求項７】
前記亜鉛含有水中の亜鉛含有物質は、イオン状または粒子状であることを特徴とする請求項１に記載の薬剤注入システム。
【請求項８】
前記防食剤含有水中の防食剤は、ＴｉＯ２、ＦｅＴｉＯ３、Ｙ２Ｏ３およびＬａ２Ｏ３の少なくとも１種からなる物質であることを特徴とする請求項１に記載の薬剤注入システム。
【請求項９】
前記発電プラント用配管が接続される前記発電プラントの水使用系統は、原子力発電プラントの給水系、再循環系、残量熱除去系、余熱除去系および原子炉冷却材浄化系、または火力発電プラントの給水系、復水系から選ばれる少なくとも１種の系統からなることを特徴とする請求項１に記載の薬剤注入システム。
【請求項１０】
発電プラント用配管を介して発電プラントの水使用系統に薬剤含有水を注入する薬剤注入システムを用いる薬剤注入方法であって、
前記薬剤注入システムは、
前記薬剤含有水が流通する循環配管と、この循環配管中の前記薬剤含有水を循環させる循環ポンプと、前記循環配管の途中に設けられ前記薬剤含有水を調製する混合槽とを有する循環系統と、
水中に亜鉛含有物質を含む亜鉛含有水を前記循環系統の循環配管に注入する亜鉛注入系統と、
水中に防食剤または防食剤生成原料を含む防食剤含有水を前記循環系統の循環配管に注入する防食剤注入系統と、
水中に鉄含有物質を含む鉄含有水を前記循環系統の循環配管に注入する鉄注入系統と、
水中に水質調整物質を含む水質調整物質含有水を前記循環系統の循環配管に注入する水質調整物質注入系統と、
前記循環系統中の前記薬剤含有水を採取するサンプリング系統とを備えるとともに、
前記発電プラント用配管は前記循環系統の循環配管に接続されるものであり、
前記サンプリング系統で採取された薬剤含有水の水質および化学種濃度を分析し、分析された前記水質および化学種濃度の分析データに基いて、前記亜鉛注入系統の亜鉛含有水、前記防食剤注入系統の防食剤含有水、前記鉄注入系統の鉄含有水、および前記水質調整物質注入系統の水質調整物質含有水から選ばれる１種以上の含有水の前記循環系統の循環配管への適切な注入量をフィードバック制御することを特徴とする薬剤注入方法。
【発明の詳細な説明】
【技術分野】
【０００１】
本発明は、原子力プラントにおいて、原子力プラントを構成する金属材料が高温水に接して腐食することを抑制する腐食抑制用薬剤と、原子炉配管等の被ばく低減用薬剤とを注入する薬剤注入システムおよび薬剤注入方法に関する。
【背景技術】
【０００２】
沸騰水型原子力発電プラントにおいては、放射線場で水の放射線分解により生成した酸素・過酸化水素等が原子炉水中に存在する。原子力発電プラントの金属製構造材の材質としては、通常、ステンレス鋼やニッケル基金属が用いられているが、これらのステンレス鋼やニッケル基金属は、原子炉のような高温環境では、酸素、過酸化水素存在下で応力腐食割れを起こすことが知られている。この対策のために、従来、原子力発電プラントでは、給水系統から水素を注入して、原子炉水中の酸素、過酸化水素の濃度を低減させる水素注入技術が検討されている。
【０００３】
この水素注入技術を利用して原子炉水中の酸素、過酸化水素の濃度を低減させると、金属製構造材の腐食電位は低下する。そして、構造材の応力腐食割れの発生やき裂の進展速度は腐食電位に依存しているから、腐食電位が低いほど構造材の割れの発生やき裂の進展が抑制される。このため、原子炉水中の酸素、過酸化水素の濃度を低減させると、金属製構造材における割れの発生やき裂の進展を抑制することができる。
【０００４】
たとえば、特許文献１（特許第２６２４９０６号公報）には、ＰｔやＲｈなどの貴金属を原子炉構造材表面に付着させた後に水素注入を行い、水素との反応を加速させアノ-ド電流を増加させることにより、腐食電位を低下させる貴金属注入技術が開示されている。
【０００５】
また、最近、金属製構造材の腐食電位を低下させる方法として光触媒の反応を利用することが注目されている。構造材である金属部材表面に光触媒を配し、そこに紫外線近傍の波長をもつ光を照射すると、光励起反応で活性化した電子の作用によって金属製構造材の腐食電位を低下させることができる。この反応は光触媒近傍に貴金属を存在させると反応効率がよくなる。
【０００６】
たとえば、特許文献２（特許第４０９４２７５号公報）や特許文献３（特許第４０４３６４７号公報）には、金属製構造部材表面にあらかじめ光触媒ないし貴金属を付着させた高機能光触媒を付着させ、炉心で発生するチェレンコフ光を利用してこの反応を生じさせることによって運転中の腐食電位を低下させることが開示されている。
【０００７】
ところで、原子力発電プラントでは、上記の腐食対策以外に、被ばく低減対策も求められる。この被ばく低減対策としては、原子炉内に亜鉛を注入する技術が知られている。
【０００８】
たとえば、特許文献４（特開平８−２２０２９３号公報）には、炉内の亜鉛濃度が数ｐｐｂとなるように注入量を制御し、構造材表面での酸化皮膜性状を変化させることで炉水中のコバルト６０の付着を抑制できることが開示されている。
【０００９】
また、被ばく低減対策の他の技術として、原子炉水中に鉄を注入しつつ炉水中鉄濃度を制御する技術が知られている。たとえば、特許文献５（特開２００９−２６４９７３号公報）には、運転中に微量の鉄を注入し、炉水中の鉄濃度を０．０５〜０．５ｐｐｂに制御し、炉心部で生成する放射性イオンを燃料棒表面でフェライト化させることにより、炉水から放射性核種を除去することが開示されている。
【先行技術文献】
【特許文献】
【００１０】
【特許文献１】特許第２６２４９０６号公報
【特許文献２】特許第４０９４２７５号公報
【特許文献３】特許第４０４３６４７号公報
【特許文献４】特開平８−２２０２９３号公報
【特許文献５】特開２００９−２６４９７３号公報
【発明の概要】
【発明が解決しようとする課題】
【００１１】
上記の光触媒を用いた防食技術、および亜鉛や鉄を注入する被ばく低減技術は、いずれも溶液や分散粒子等を原子炉系統内に注入する技術である。しかし、上記の注入システムはそれぞれ単独で装置化されており、これらを組み合わせた注入システムは開発されていない。このため、原子力プラントに上記それぞれの注入技術を適用する場合には、それぞれの注入システムを別々に構築して、設置しなければならない。このように、原子力プラントへの上記技術の適用に当たっては初期コストがかかると共に、システム導入のための時間が必要になるという課題があった。
【００１２】
本発明は、原子力プラントの原子炉水中に複数種類の薬剤を同時に注入可能であるとともに、低コストかつ迅速に導入可能な薬剤注入システムおよび薬剤注入方法を提供することを目的とする。
【課題を解決するための手段】
【００１３】
本発明は、発電プラントの水使用系統から分離された薬剤注入システムを用い、この薬剤注入システムで複数種類の薬剤を含む水を水質および化学種濃度が所望のものになるように調製した後、調製後の水を発電プラントの水使用系統に導入する薬剤注入システムによれば、発電プラントの水使用系統中に複数種類の薬剤を同時に注入可能であるとともに、薬剤注入システムを低コストかつ迅速に導入可能であることを見出して完成されたものである。
【００１４】
本発明に係る薬剤注入システムは、上記課題を解決するものであり、発電プラント用配管を介して発電プラントの水使用系統に薬剤含有水を注入する薬剤注入システムであって、前記薬剤含有水が流通する循環配管と、この循環配管中の前記薬剤含有水を循環させる循環ポンプと、前記循環配管の途中に設けられ前記薬剤含有水を調製する混合槽とを有する循環系統と、水中に亜鉛含有物質を含む亜鉛含有水を亜鉛含有水タンクから前記循環系統の循環配管に注入する亜鉛注入系統と、水中に防食剤または防食剤生成原料を含む防食剤含有水を防食剤含有水タンクから前記循環系統の循環配管に注入する防食剤注入系統と、水中に鉄含有物質を含む鉄含有水を鉄含有水タンクから前記循環系統の循環配管に注入する鉄注入系統と、水中に水質調整物質を含む水質調整物質含有水を水質調整物質含有水タンクから前記循環系統の循環配管に注入する水質調整物質注入系統と、前記循環系統中の前記薬剤含有水を採取するサンプリング系統とを備え、前記発電プラント用配管は前記循環系統の循環配管に接続されることを特徴とする。
【００１５】
また、本発明に係る薬剤注入方法は、上記課題を解決するものであり、発電プラント用配管を介して発電プラントの水使用系統に薬剤含有水を注入する薬剤注入システムを用いる薬剤注入方法であって、前記薬剤注入システムは、前記薬剤含有水が流通する循環配管と、この循環配管中の前記薬剤含有水を循環させる循環ポンプと、前記循環配管の途中に設けられ前記薬剤含有水を調製する混合槽とを有する循環系統と、水中に亜鉛含有物質を含む亜鉛含有水を前記循環系統の循環配管に注入する亜鉛注入系統と、水中に防食剤または防食剤生成原料を含む防食剤含有水を前記循環系統の循環配管に注入する防食剤注入系統と、水中に鉄含有物質を含む鉄含有水を前記循環系統の循環配管に注入する鉄注入系統と、水中に水質調整物質を含む水質調整物質含有水を前記循環系統の循環配管に注入する水質調整物質注入系統と、前記循環系統中の前記薬剤含有水を採取するサンプリング系統とを備えるとともに、前記発電プラント用配管は前記循環系統の循環配管に接続されるものであり、前記サンプリング系統で採取された薬剤含有水の水質および化学種濃度を分析し、分析された前記水質および化学種濃度の分析データに基いて、前記亜鉛注入系統の亜鉛含有水、前記防食剤注入系統の防食剤含有水、前記鉄注入系統の鉄含有水、および前記水質調整物質注入系統の水質調整物質含有水から選ばれる１種以上の含有水の前記循環系統の循環配管への適切な注入量をフィードバック制御することを特徴とする。
【発明の効果】
【００１６】
本発明に係る薬剤注入システムおよび薬剤注入方法によれば、発電プラントの水使用系統中に複数種類の薬剤を同時に注入可能であるとともに、薬剤注入システムを低コストかつ迅速に導入することができる。
【図面の簡単な説明】
【００１７】
【図１】本発明に係る薬剤注入システムの第１の実施形態を示す概略構成図。
【図２】本発明に係る薬剤注入システムの第２の実施形態を示す概略構成図。
【図３】実施例１で作製したステンレス鋼試験片の模式的な断面図。
【図４】酸化チタンのゼータ電位を示すグラフ。
【図５】腐食電位測定結果を示すグラフ。
【図６】実施例２で作製した炭素鋼試験片の模式的な断面図。
【図７】減肉試験結果を示すグラフ。
【図８】酸化チタン付着量結果を示すグラフ。
【発明を実施するための形態】
【００１８】
以下、本発明に係る薬剤注入システムの実施の形態について、添付図面を参照して説明する。
【００１９】
［第１の実施形態］
図１は、本発明に係る薬剤注入システムの第１の実施形態を示す概略構成図である。
【００２０】
図１に示す薬剤注入システム１は、発電プラント用配管５を介して発電プラント２の図示しない水使用系統に薬剤含有水を注入する薬剤注入システムである。
【００２１】
薬剤注入システム１は、薬剤含有水を調製する循環系統１０と、亜鉛含有水を循環系統１０に注入する亜鉛注入系統２０と、防食剤含有水を循環系統１０に注入する防食剤注入系統３０と、鉄含有水を循環系統１０に注入する鉄注入系統４０と、水質調整物質含有水を循環系統１０に注入する水質調整物質注入系統５０と、循環系統１０中の薬剤含有水を採取するサンプリング系統６０とを備える。
【００２２】
ここで、薬剤含有水とは、純水等の水に、亜鉛含有水、防食剤含有水、鉄含有水、および水質調整物質含有水から選ばれる１種以上の含有水が添加された水を意味する。
【００２３】
亜鉛含有水とは、亜鉛含有物質を含む水を意味する。亜鉛含有物質としては、たとえば、酸化亜鉛ＺｎＯ、炭酸亜鉛ＺｎＣＯ３および水酸化物Ｚｎ（ＯＨ）２の少なくともいずれか一方からなる物質が用いられる。
【００２４】
亜鉛含有水は、亜鉛含有物質を水に添加して溶解または分散させることにより得られる。亜鉛含有水中において亜鉛含有物質は、イオン状または粒子状のいずれの形態であってもよい。
【００２５】
防食剤含有水とは、防食剤または防食剤生成原料を含む水を意味する。防食剤としては、たとえば、ＴｉＯ２、ＦｅＴｉＯ３、Ｙ２Ｏ３およびＬａ２Ｏ３の少なくとも１種からなる物質が用いられる。また、防食剤生成原料としては、たとえば、チタンのアルコキシド、鉄のアルコキシド等が用いられる。
【００２６】
防食剤含有水は、防食剤または防食剤生成原料を水に添加して溶解または分散させることにより得られる。防食剤含有水中において防食剤生成原料は、イオン状または粒子状のいずれの形態であってもよい。
【００２７】
鉄含有水とは、鉄含有物質を含む水を意味する。鉄含有物質としては、たとえば、フマル酸鉄、クエン酸鉄およびシュウ酸鉄の少なくとも１種からなる物質が用いられる。
【００２８】
鉄含有水は、鉄含有物質を水に添加して溶解または分散させることにより得られる。鉄含有水中において鉄含有物質は、イオン状または粒子状のいずれの形態であってもよい。
【００２９】
水質調整物質含有水とは、水質調整物質を含む水を意味する。水質調整物質としては、たとえば、二酸化炭素、アンモニア、酸素、および水素等が用いられる。水質調整物質含有水に添加される水質調整物質は、ガス状、液体状または固体状のいずれの形態であってもよい。
【００３０】
水質調整物質含有水は、水質調整物質を水に添加して溶解または分散させることにより得られる。
【００３１】
たとえば、水に二酸化炭素を溶解して飽和させると二酸化炭素飽和水溶液が得られ、水にアンモニアを溶解させるとアンモニア水が得られる。また、水に酸素を溶解させると溶存酸素水溶液が得られ、水に水素を溶解させると溶存水素水溶液が得られる。
【００３２】
水質調整物質含有水が、循環系統１０中の水または薬剤含有水中に添加されることにより、薬剤含有水のｐＨ、導電率、粘度、溶存酸素濃度、および溶存水素濃度から選ばれる１種以上の項目が調整される。これにより、循環系統１０中において所望の水質の薬剤含有水を調製することができる。
【００３３】
たとえば、二酸化炭素飽和水溶液やアンモニア水は、循環系統１０中の水または薬剤含有水のｐＨを調整するｐＨ調整剤として用いることができる。また、溶存酸素水溶液や溶存水素水溶液は、循環系統１０中の水または薬剤含有水を酸化性環境や還元性環境にする酸化剤または還元剤として用いることができる。
【００３４】
循環系統１０の循環配管には、発電プラント２の水使用系統に循環系統１０中の薬剤含有水を注入する発電プラント用配管５が接続される。薬剤注入システム１の循環系統１０で調製された薬剤含有水は、発電プラント用配管５を介して発電プラント２の水使用系統に供給される。
【００３５】
ここで、発電プラント２の水使用系統とは、原子力発電プラントの原子炉内に冷却材を供給する給水系、原子炉内の冷却材を強制的に循環させる再循環系、
原子炉が停止した後に炉心により発生する崩壊熱および残留熱を除去する残量熱除去系（ＢＷＲ）、余熱除去系（ＰＷＲ）および原子炉内の冷却材を浄化させる原子炉冷却材浄化系、または火力発電プラントの給水系、復水系から選ばれる少なくとも１種の系統を意味する。
【００３６】
また、発電プラント２の水使用系統に用いられる金属材料としては、たとえば、ステンレス鋼、炭素鋼等が挙げられる。
【００３７】
（循環系統）
循環系統１０は、薬剤含有水が流通する循環配管１１と、循環配管１１中の薬剤含有水を循環させる循環ポンプ１２と、循環配管１１の途中に設けられ薬剤含有水を調製する混合槽１３とを有する。
【００３８】
図１に示すように、循環配管１１は、配管の両端が混合槽１３に接続されたループ状に形成される。循環系統１０において、循環配管１１と混合槽１３とから構成されるラインを循環ループともいう。
【００３９】
循環配管１１には、循環配管１１中の薬剤含有水を循環させる循環ポンプ１２が設けられる。循環ポンプ１２としては公知のポンプが用いられる。
【００４０】
循環系統１０では、薬剤含有水が循環配管１１および混合槽１３を循環することができるようになっている。
【００４１】
循環系統１０の循環配管１１には、亜鉛注入系統２０と、防食剤注入系統３０と、鉄注入系統４０と、水質調整物質注入系統５０とが接続されている。このため、循環配管１１中の水または薬剤含有水には、亜鉛注入系統２０から亜鉛含有水が、防食剤注入系統３０から防食剤含有水が、鉄注入系統４０から鉄含有水が、水質調整物質注入系統５０から水質調整物質含有水が、それぞれ注入されることができるようになっている。
【００４２】
循環配管１１の一部の外部、具体的には、循環配管１１のうち、亜鉛注入系統２０、防食剤注入系統３０、および鉄注入系統４０が接続される部分の外部には、外部ヒーター１５が設けられる。これにより、循環配管１１中を循環する水または薬剤含有水を所望の温度に加熱することができるようになっている。循環配管１１の外部に外部ヒーター１５を設けると、外部ヒーター１５が薬剤含有水により腐食されるおそれが小さいとともに、外部ヒーター１５の設置が容易になる。
【００４３】
なお、図１に示す薬剤注入システム１では、循環配管１１を加熱するヒーターが、循環配管１１の外部に設けられた外部ヒーター１５になっている。しかし、本発明では、循環配管１１を加熱するヒーターとしては、外部ヒーター１５に代えてまたは外部ヒーター１５に加えて、循環配管１１の内部に設けられた内部ヒーターを用いてもよい。循環配管１１の内部に内部ヒーターを設けると、内部ヒーターによる薬剤含有水の加熱効率が高くなる。
【００４４】
混合槽１３は、内部の水または薬剤含有水を混合可能に構成されている。このため、亜鉛注入系統２０、防食剤注入系統３０、鉄注入系統４０、水質調整物質注入系統５０等から循環系統１０の循環配管１１に注入された各種の薬剤は、混合槽１３において充分に混合されて、所望の水質および化学種濃度の薬剤含有水の調製が可能になっている。
【００４５】
混合槽１３の両端近傍の循環配管１１には、バルブ１４、１４が設けられ、バルブ１４、１４の開閉動作により、循環系統１０内の水または薬剤含有水の流通を制御することができるように構成されている。
【００４６】
混合槽１３内部の水または薬剤含有水を混合する手段としては、たとえば、図示しない撹拌機や、混合槽１３内部に設けられた邪魔板等が用いられる。
【００４７】
なお、図１に示す薬剤注入システム１では、混合槽１３にヒーターが設けられていない。しかし、本発明では、混合槽１３の外部に外部ヒーターを設けたり、混合槽１３の内部に内部ヒーターを設けたりしてもよい。混合槽１３に外部ヒーターや内部ヒーターを設けることにより、混合槽１３中の水または薬剤含有水を所望の温度に加熱することができる。
【００４８】
混合槽１３の外部に外部ヒーターを設けると、外部ヒーターが薬剤含有水により腐食されるおそれが小さいとともに、外部ヒーターの設置が容易になる。また、混合槽１３の内部に内部ヒーターを設けると、内部ヒーターによる薬剤含有水の加熱効率が高くなる。
【００４９】
混合槽１３の両端近傍の循環配管１１には、混合槽１３をバイパスする配管である混合槽バイパス配管１８が接続される。混合槽バイパス配管１８の両端は、混合槽１３の両端近傍の循環配管１１に接続されるとともに、混合槽バイパス配管１８の両端近傍にバルブ１９、１９が設けられる。これにより、循環配管１１のバルブ１４、１４を閉鎖し、混合槽バイパス配管１８のバルブ１９、１９を開放すると、循環配管１１中の水または薬剤含有水が、混合槽１３を通過せずに混合槽バイパス配管１８を流通する流れである単純閉ループを形成することができるようになっている。
【００５０】
単純閉ループは、たとえば、所望の水質および化学種濃度に調製された薬剤含有水を、発電プラント用配管５を介して発電プラント２の水使用系統に供給する場合に形成される。
【００５１】
（サンプリング系統）
循環系統１０の循環配管１１には、循環系統１０中の薬剤含有水を採取するサンプリング系統６０が設けられている。
【００５２】
具体的には、サンプリング系統６０は、循環系統１０の循環配管１１に接続された発電プラント用配管５の途中から分岐されるサンプリング配管６２と、サンプリング配管６２に設けられたバルブ６３とを有している。
【００５３】
サンプリング系統６０では、バルブ６３の開放により、循環配管１１中の薬剤含有水を採取することができるようになっている。
【００５４】
（亜鉛注入系統）
亜鉛注入系統２０は、亜鉛含有水を亜鉛含有水タンク２１から循環系統１０の循環配管１１に注入する系統である。
【００５５】
具体的には、亜鉛注入系統２０は、亜鉛含有水を収容する亜鉛含有水タンク２１と、亜鉛含有水タンク２１と循環系統１０の循環配管１１とを接続する亜鉛含有水配管２２と、亜鉛含有水配管２２中の亜鉛含有水を循環系統１０の循環配管１１に注入する亜鉛含有水ポンプ２３とを有する。
【００５６】
亜鉛含有水タンク２１は、亜鉛含有水を収容するタンクであるが、亜鉛含有水を調製するように構成してもよい。たとえば、亜鉛含有水タンク２１内に、図示しない撹拌機やヒーターを設けると、亜鉛含有水タンク２１内で、水と亜鉛含有物質とから亜鉛含有水を調製することが可能になる。
【００５７】
（防食剤注入系統）
防食剤注入系統３０は、防食剤含有水を防食剤含有水タンク３１から循環系統１０の循環配管１１に注入する系統である。
【００５８】
具体的には、防食剤注入系統３０は、防食剤含有水を収容する防食剤含有水タンク３１と、防食剤含有水タンク３１と循環系統１０の循環配管１１とを接続する防食剤含有水配管３２と、防食剤含有水配管３２中の防食剤含有水を循環系統１０の循環配管１１に注入する防食剤含有水ポンプ３３とを有する。
【００５９】
防食剤含有水タンク３１は、防食剤含有水を収容するタンクであるが、防食剤含有水を調製するように構成してもよい。たとえば、防食剤含有水タンク３１内に、図示しない撹拌機やヒーターを設けると、防食剤含有水タンク３１内で、水と、防食剤または防食剤生成原料とから防食剤含有水を調製することが可能になる。
【００６０】
（鉄注入系統）
鉄注入系統４０は、鉄含有水を鉄含有水タンク４１から循環系統１０の循環配管１１に注入する系統である。
【００６１】
具体的には、鉄注入系統４０は、鉄含有水を収容する鉄含有水タンク４１と、鉄含有水タンク４１と循環系統１０の循環配管１１とを接続する鉄含有水配管４２と、鉄含有水配管４２中の鉄含有水を循環系統１０の循環配管１１に注入する鉄含有水ポンプ４３とを有する。
【００６２】
鉄含有水タンク４１は、鉄含有水を収容するタンクであるが、鉄含有水を調製するように構成してもよい。たとえば、鉄含有水タンク４１内に、図示しない撹拌機やヒーターを設けると、鉄含有水タンク４１内で、水と鉄含有物質とから鉄含有水を調製することが可能になる。
【００６３】
（水質調整物質注入系統）
水質調整物質注入系統５０は、水質調整物質含有水を水質調整物質含有水タンク５１から循環系統１０の循環配管１１に注入する系統である。
【００６４】
具体的には、水質調整物質注入系統５０は、水質調整物質含有水を収容する水質調整物質含有水タンク５１と、水質調整物質含有水タンク５１と循環系統１０の循環配管１１とを接続する水質調整物質含有水配管５２と、水質調整物質含有水配管５２中の前記水質調整物質含有水を循環系統１０の循環配管１１に注入する水質調整物質含有水ポンプ５３とを有する。
【００６５】
水質調整物質含有水タンク５１は、水質調整物質含有水を収容するタンクであるが、水質調整物質含有水を調製するように構成してもよい。たとえば、水質調整物質含有水タンク５１内に、図示しない二酸化炭素、アンモニア、酸素、および水素等の導入管、撹拌機やヒーター等を設けると、水質調整物質含有水タンク５１内で、水と水質調整物質含有物質とから水質調整物質含有水を調製することが可能になる。
【００６６】
（作用）
図１を参照して薬剤注入システム１の作用について説明する。
【００６７】
はじめに、循環ポンプ１２を稼働し、循環系統１０の循環配管１１と混合槽１３とから構成される循環ループ内で、水を循環させる。必要により、外部ヒーター１５を用いて循環配管１１内の水を所望の温度まで加熱、または保温しておく。
【００６８】
一方、亜鉛注入系統２０の亜鉛含有水タンク２１には亜鉛含有水を、防食剤注入系統３０の防食剤含有水タンク３１には防食剤含有水を、鉄注入系統４０の鉄含有水タンク４１には鉄含有水を、および水質調整物質注入系統５０の水質調整物質含有水タンク５１には水質調整物質含有水を、それぞれ収容しておく。
【００６９】
なお、亜鉛含有水、防食剤含有水、鉄含有水、および水質調整物質含有水等の各種含有水のうち、循環系統１０に注入する必要がない含有水については、収容しておかなくてもよい。
【００７０】
次に、亜鉛注入系統２０の亜鉛含有水ポンプ２３、防食剤注入系統３０の防食剤含有水ポンプ３３、鉄注入系統４０の鉄含有水ポンプ４３、および水質調整物質注入系統５０の水質調整物質含有水ポンプ５３等をそれぞれ必要により稼働して、亜鉛含有水、防食剤含有水、鉄含有水、および水質調整物質含有水等の各種含有水を循環系統１０の循環配管１１内の水に注入して、所望の水質および化学種濃度の薬剤含有水を調製する。
【００７１】
循環系統１０の循環配管１１内の水に注入された各種含有水は、混合槽１３において充分に混合され、均質な薬剤含有水が調製される。混合槽１３で調製された薬剤含有水は、循環配管１１に戻され、循環ループ内で循環する。
【００７２】
薬剤注入システム１は、亜鉛注入系統２０の亜鉛含有水配管２２、防食剤注入系統３０の防食剤含有水配管３２、鉄注入系統４０の鉄含有水配管４２、および水質調整物質注入系統５０の水質調整物質含有水配管５２が、全て、循環系統１０の循環配管１１に直接に接続されている。このため、亜鉛含有水、防食剤含有水、鉄含有水、および水質調整物質含有水等の各種含有水は、循環系統１０の循環配管１１内に同時に注入することができるようになっている。なお、各種含有水は、循環系統１０の循環配管１１内に別々に注入してもよい。
【００７３】
循環系統１０の循環配管１１中の薬剤含有水は、発電プラント用配管５を介して循環系統１０の循環配管１１に接続されたサンプリング系統６０から、採取できるようになっている。このため、循環系統１０における薬剤含有水の調製の際には、サンプリング系統６０のサンプリング配管６２から採取した溶液サンプルにつき、図示しない分析装置で水質や化学種濃度を分析し、分析結果に基いて、手動で各種含有水の供給量を調整することにより、循環系統１０中の薬剤含有水の水質や化学種濃度を調整することができる。
【００７４】
調整される水質としては、ｐＨ、導電率、粘度、溶存酸素濃度、および溶存水素濃度から選ばれる１種以上の項目とすることができる。
【００７５】
たとえば、水質調整物質含有水として、二酸化炭素飽和水溶液やアンモニア水を用いると、循環系統１０中の水または薬剤含有水のｐＨを調整することができる。また、水質調整物質含有水として、溶存酸素水溶液や溶存水素水溶液を用いると、循環系統１０中の水または薬剤含有水を酸化性環境や還元性環境にすることができる。
【００７６】
循環系統１０内で、所望の水質や化学種濃度に調整された薬剤含有水は、必要により、発電プラント用配管５を介して発電プラント２の水使用系統に供給される。
【００７７】
薬剤注入システム１によれば、亜鉛含有水、防食剤含有水、鉄含有水、および水質調整物質含有水等の各種含有水が注入されることにより所望の水質や化学種濃度に調整された薬剤含有水を発電プラント２の水使用系統に注入する装置構成を採るため、薬剤含有水の水質や化学種濃度の調整が容易であり、薬剤注入システム１の装置コストが低く設定でき、薬剤注入システム１の施工期間も従来に比べて大幅に短縮することができる。
【００７８】
すなわち、従来、発電プラント２の水使用系統の水質や化学種濃度を調整する場合には、亜鉛含有水注入装置、防食剤含有水注入装置、鉄含有水注入装置、および水質調整物質含有水注入装置等の各種注入装置を、別々に発電プラント２の水使用系統に接続する工事が必要であった。このため、従来は、各種注入装置の装置コストが高いとともに、各種注入装置の施工期間も長期間を要していた。さらに、従来は、発電プラント２の水使用系統の水質や化学種濃度の調整が、発電プラント２の水使用系統自体で行われるため、調整が困難であった。
【００７９】
これに対し、薬剤注入システム１は、各種注入装置をひとつにまとめたものであり、水質や化学種濃度が総合的に調整された後の薬剤含有水を発電プラント２の水使用系統に供給すればよいため、薬剤含有水の水質や化学種濃度の調整が容易であり、薬剤注入システム１の装置コストが低く設定でき、薬剤注入システム１の施工期間も従来に比べて大幅に短縮することができる。
【００８０】
［第２の実施形態］
図２は、本発明に係る薬剤注入システムの第２の実施形態を示す概略構成図である。
【００８１】
図２に示す薬剤注入システム１Ａは、図１に第１の実施形態として示した薬剤注入システム１に比較して、サンプリング系統６０で採取された薬剤含有水７２の水質および化学種濃度を分析する分析装置７０と、亜鉛注入系統２０の亜鉛含有水等の各種含有水等の循環系統１０への注入量をフィードバック制御する薬剤含有水制御装置８０と、をさらに備える点で異なり、その他の構成は同じである。
【００８２】
このため、図２に第２の実施形態として示す薬剤注入システム１Ａは、図１に第１の実施形態として示した薬剤注入システム１との同じ構成に同じ符号を付し、構成および作用の説明を省略または簡略化する。
【００８３】
（分析装置）
分析装置７０は、サンプリング系統６０で採取された薬剤含有水７２の水質および化学種濃度を分析する装置である。
【００８４】
分析装置７０としては、ｐＨ、導電率、粘度、溶存酸素濃度、および溶存水素濃度から選ばれる１種以上の水質と、亜鉛、防食剤、鉄、水質調整物質等の化学種の濃度とを分析可能な装置が用いられる。分析装置７０としては、たとえば、蛍光Ｘ線分析装置、ｐＨメーター、参照電極等の酸化還元電位測定装置が用いられる。
【００８５】
分析装置７０で分析された分析データは、データ通信ライン７１を介して、薬剤含有水制御装置８０に送信可能になっている。
【００８６】
（薬剤含有水制御装置）
薬剤含有水制御装置８０は、亜鉛注入系統２０の亜鉛含有水、防食剤注入系統３０の防食剤含有水、鉄注入系統４０の鉄含有水、および水質調整物質注入系統５０の水質調整物質含有水から選ばれる１種以上の含有水の循環系統１０への注入量をフィードバック制御する装置である。
【００８７】
薬剤含有水制御装置８０は、データ格納部８１と、データ格納部８１に集積された分析データに基いて各種含有水の循環系統１０の循環配管１１への注入量をフィードバック制御する演算制御部８２とを有する。
【００８８】
データ格納部８１は、分析装置７０で分析された水質および化学種濃度等の分析データが集積されるものである。データ格納部８１への分析データの集積は、通常、演算制御部８２を介して行われる。
【００８９】
演算制御部８２は、データ格納部８１に集積された水質および化学種濃度等の分析データを読み出し、この読み出された分析データに基いて、循環系統１０の循環配管１１中の薬剤含有水が所定の水質および化学種濃度になるように、亜鉛注入系統２０の亜鉛含有水、防食剤注入系統３０の防食剤含有水、鉄注入系統４０の鉄含有水、および水質調整物質注入系統５０の水質調整物質含有水から選ばれる１種以上の含有水の循環系統１０の循環配管１１への適切な注入量を算出する。
【００９０】
また、演算制御部８２は、算出された各種含有水の適切な注入量に基いて亜鉛含有水、防食剤含有水、鉄含有水、および水質調整物質含有水から選ばれる１種以上の含有水の循環系統１０の循環配管１１への注入量をフィードバック制御する。
【００９１】
演算制御部８２は、たとえば、ｐＨ、導電率、粘度、溶存酸素濃度、および溶存水素濃度から選ばれる１種以上の項目からなる水質をフィードバック制御する。
【００９２】
演算制御部８２による各種含有水の注入量のフィードバック制御は、図２に示すように、データ通信ライン８５ａ、８５ｂ、８５ｃ、８５ｄを用いて、亜鉛注入系統２０の亜鉛含有水ポンプ２３、防食剤注入系統３０の防食剤含有水ポンプ３３、鉄注入系統４０の鉄含有水ポンプ４３、および水質調整物質注入系統５０の水質調整物質含有水ポンプ５３等の稼働状況を変化させて、各種含有水の循環系統１０の循環配管１１への注入流量を制御することにより行われる。データ通信ライン８５ａ、８５ｂ、８５ｃ、８５ｄは、通常有線通信のラインであるが、無線通信のラインであってもよい。
【００９３】
また、演算制御部８２による各種含有水の注入量のフィードバック制御は、亜鉛含有水、防食剤含有水、および鉄含有水から選ばれる１種以上の含有水の循環系統１０の循環配管１１への注入量をフィードバック制御する第１フィードバック制御と、水質調整物質含有水の循環系統１０の循環配管１１への注入量をフィードバック制御する第２フィードバック制御と、を組み合わせてフィードバック制御するようにしてもよい。
【００９４】
なお、薬剤含有水制御装置８０の演算制御部８２は、上記のような、亜鉛含有水、防食剤含有水、鉄含有水、および水質調整物質含有水等の各種含有水の循環系統１０の循環配管１１への注入量の算出およびフィードバック制御に加え、さらに、循環系統１０の循環配管１１中の薬剤含有水の流量、温度等に基いて循環系統１０の循環ポンプ１２や外部ヒーター１５の稼働状況をフィードバック制御するようにしてもよい。
【００９５】
演算制御部８２による循環系統１０の循環ポンプ１２や外部ヒーター１５のフィードバック制御は、図２に示すように、データ通信ライン８５ｅ、８５ｆを用いて、循環ポンプ１２や外部ヒーター１５の稼働状況を変化させることにより行われる。データ通信ライン８５ｅ、８５ｆは、通常有線通信のラインであるが、無線通信のラインであってもよい。
【００９６】
（作用）
図２を参照して薬剤注入システム１Ａの作用について説明する。
【００９７】
薬剤注入システム１Ａの作用は、図１に第１の実施形態として示した薬剤注入システム１の作用に比較して、分析装置７０と薬剤含有水制御装置８０とをさらに備える構成の相違点に基づく作用で異なり、他の作用は同じであるため、作用の説明を簡略化する。
【００９８】
薬剤注入システム１Ａは、図１に第１の実施形態として示した薬剤注入システム１と同様の作用を示す上に、分析装置７０と薬剤含有水制御装置８０とを備えることに基く作用をさらに示す。
【００９９】
すなわち、図１に第１の実施形態として示した薬剤注入システム１では、サンプリング系統６０のサンプリング配管６２から採取した循環系統１０の循環配管１１中の薬剤含有水の溶液サンプルは、図示しない分析装置で水質や化学種濃度を分析された後、分析結果に基いて手動で亜鉛注入系統２０の亜鉛含有水等の各種含有水の供給量を調整していた。
【０１００】
これに対し、図２に第２の実施形態として示した薬剤注入システム１Ａでは、サンプリング系統６０のサンプリング配管６２から採取した循環系統１０の循環配管１１中の薬剤含有水の溶液サンプル７２は、分析装置７０で分析された後、得られた分析データに基き、薬剤含有水制御装置８０により亜鉛注入系統２０の亜鉛含有水等の各種含有水の循環系統１０への注入量をフィードバック制御する。
【０１０１】
分析装置７０では、たとえば、ｐＨ、導電率、粘度、溶存酸素濃度、および溶存水素濃度から選ばれる１種以上の水質や、亜鉛、防食剤、鉄、水質調整物質等の化学種の濃度が分析される。
【０１０２】
分析装置７０で分析された分析データは、データ通信ライン７１を介して薬剤含有水制御装置８０に送信される。分析装置７０から薬剤含有水制御装置８０への分析データの送信は、通常、自動的に行われる。なお、分析装置７０から薬剤含有水制御装置８０への分析データの送信は、薬剤含有水制御装置８０から分析装置７０に要求した場合にのみ送信されるように設定してもよい。
【０１０３】
薬剤含有水制御装置８０に送信された分析データは、薬剤含有水制御装置８０のデータ格納部８１に集積される。データ格納部８１には、過去から現在までの当該原子力プラントまたは火力プラントの水使用系統における分析データおよび実験データ（以下、「現在および過去の分析データ」と呼ぶ。）が集積される。
【０１０４】
薬剤含有水制御装置８０では、はじめに、演算制御部８２が、データ格納部８１から、データ格納部８１中に集積された現在および過去の分析データを読み出す。
【０１０５】
次に、薬剤含有水制御装置８０の演算制御部８２は、読み出された現在および過去の分析データに基いて、循環系統１０の循環配管１１中の薬剤含有水が所定の水質および化学種濃度になるように、亜鉛注入系統２０の亜鉛含有水、防食剤注入系統３０の防食剤含有水、鉄注入系統４０の鉄含有水、および水質調整物質注入系統５０の水質調整物質含有水から選ばれる１種以上の含有水の循環系統１０の循環配管１１への適切な注入量を算出する。
【０１０６】
さらに、薬剤含有水制御装置８０の演算制御部８２は、算出された各種含有水の適切な注入量に基いて、亜鉛含有水、防食剤含有水、鉄含有水、および水質調整物質含有水から選ばれる１種以上の含有水の循環系統１０の循環配管１１への注入量をフィードバック制御する。
【０１０７】
各種含有水の注入量のフィードバック制御の指令は、データ通信ライン８５ａ、８５ｂ、８５ｃ、８５ｄを用いて、亜鉛注入系統２０の亜鉛含有水ポンプ２３、防食剤注入系統３０の防食剤含有水ポンプ３３、鉄注入系統４０の鉄含有水ポンプ４３、および水質調整物質注入系統５０の水質調整物質含有水ポンプ５３等に、稼働状況を変化させる信号を送信することにより行う。データ通信ライン８５ａ等からの信号を受信することにより、亜鉛注入系統２０の亜鉛含有水ポンプ２３等の各種系統のポンプは、稼働状況を変化させる。各種系統のポンプの稼働状況の変化により、各種含有水の循環系統１０の循環配管１１への注入量が調整される。
【０１０８】
たとえば、循環系統１０の循環配管１１中の薬剤含有水が、防食剤である酸化チタンＴｉＯ２の濃度が所定の濃度よりも低く、かつ、ｐＨ値が所定の値よりも高い場合には、薬剤含有水制御装置８０の演算制御部８２がデータ通信ライン８５ｂを介して防食剤注入系統３０の防食剤含有水ポンプ３３のポンプ流量を増加させることにより、防食剤含有水タンク３１中のＴｉＯ２を含む防食剤含有水を循環系統１０の循環配管１１に注入する措置が採られる。
【０１０９】
このように、薬剤注入システム１Ａでは、分析装置７０で循環系統１０の循環配管１１中の薬剤含有水の水質や化学種濃度が分析された後、薬剤含有水制御装置８０に集積された現在および過去の分析データに基いて、亜鉛注入系統２０の亜鉛含有水等の各種含有水の循環系統１０の循環配管１１への注入量のフィードバック制御が迅速に行われるため、循環系統１０の循環ループ内の薬剤含有水の水質管理や化学種濃度管理を迅速に行うことが可能になる。
【０１１０】
また、薬剤含有水制御装置８０の演算制御部８２が、亜鉛含有水等の各種含有水の循環系統１０の循環配管１１への注入量の算出およびフィードバック制御に加え、さらに、循環系統１０の循環配管１１中の薬剤含有水の流量、温度等に基いて循環系統１０の循環ポンプ１２や外部ヒーター１５の稼働状況をフィードバック制御するようにした場合は、データ通信ライン８５ｅ、８５ｆを用いて、循環ポンプ１２や外部ヒーター１５の稼働状況を変化させることができる。
【０１１１】
たとえば、循環系統１０の循環配管１１中の薬剤含有水が、所定の粘度になっていなかったり、薬剤含有水中の酸化チタンＴｉＯ２等のコロイドが凝集しやすい状態になったりしている場合には、薬剤含有水制御装置８０の演算制御部８２がデータ通信ライン８５ｅを介して循環系統１０の循環ポンプ１２のポンプ流量を変化させることにより、薬剤含有水における粘度の影響や薬剤含有水中のコロイドの凝集を制御する措置を採ることができる。
【０１１２】
また、循環系統１０の循環配管１１中の薬剤含有水が、所定の温度になっていない場合には、薬剤含有水制御装置８０の演算制御部８２がデータ通信ライン８５ｆを介して循環系統１０の外部ヒーター１５の稼働状態を変化させることにより、薬剤含有水の温度を調整して目的にあった混合状態に制御する措置を採ることができる。
【０１１３】
薬剤注入システム１Ａによれば、第１の実施形態として示した薬剤注入システム１と同じ作用に加え、さらに、薬剤含有水制御装置８０により、薬剤含有水の中央管理を行うため、所望の水質や化学種濃度に調整された薬剤含有水を迅速に調製し、発電プラント用配管５を介して発電プラント２の水使用系統に注入することが可能になる。
【０１１４】
また、発電プラント２における事象の変化に臨機応変に対応して薬剤含有水を迅速に調製し発電プラント２に注入することができるため、発電プラント２の運転がより安全で信頼性を向上させることができる。
【０１１５】
［薬剤注入方法］
次に、本発明に係る薬剤注入方法について説明する。
【０１１６】
本発明に係る薬剤注入方法は、本発明に係る薬剤注入システム１、１Ａを用いる薬剤注入方法である。
【０１１７】
本発明に係る薬剤注入方法は、図１、２に示された薬剤注入システム１、１Ａを用い、サンプリング系統６０で採取された薬剤含有水の水質および化学種濃度を分析し、分析された水質および化学種濃度の分析データに基いて、亜鉛注入系統２０の亜鉛含有水、防食剤注入系統３０の防食剤含有水、鉄注入系統４０の鉄含有水、および水質調整物質注入系統５０の水質調整物質含有水から選ばれる１種以上の含有水の循環系統１０の循環配管１１への適切な注入量をフィードバック制御するものである。
【０１１８】
本発明に係る薬剤注入方法の作用は、薬剤注入システム１、１Ａの作用と同じであるため、記載を省略する。
【実施例】
【０１１９】
以下に実施例を示すが、本発明はこれらに限定されて解釈されるものではない。
【０１２０】
［実施例１］
図１に示した薬剤注入システム１を用い、ステンレス鋼の表面への酸化チタン付着試験を行った。
【０１２１】
（試験片の準備）
ステンレス鋼を水素存在下で処理して、ステンレス鋼の表面に酸化クロム皮膜を形成させ、試験片を作製した。
【０１２２】
（薬剤注入システムの準備）
循環系統１０の循環配管１１内に試験片を配置し、循環系統１０の循環ループに純水を循環させた。
【０１２３】
亜鉛注入系統２０の亜鉛含有水タンク２１に、亜鉛含有水として、酸化亜鉛ＺｎＯを１質量％含有する酸性（ｐＨ３）の水溶液を充填した。
【０１２４】
防食剤注入系統３０の防食剤含有水タンク３１に、防食剤含有水として、酸化チタン粒子を３質量％含有する弱アルカリ性分散水を充填した。
【０１２５】
鉄注入系統４０の鉄含有水タンク４１に、鉄含有水として、クエン酸鉄を１質量％含有する中性溶液を充填した。
【０１２６】
水質調整物質注入系統５０の水質調整物質含有水タンク５１に、水質調整物質含有水として、飽和溶存水素溶液を充填した。飽和溶存水素溶液は、循環系統１０の循環ループ中の環境を溶存酸素濃度を低下させ還元環境下にするためのものである。
【０１２７】
（薬剤注入システムの稼働）
水質調整物質注入系統５０の水質調整物質含有水ポンプ５３を稼働して、還元性の水質調整物質含有水を循環系統１０の循環配管１１内に注入した。還元性の水質調整物質含有水は、循環系統１０の循環配管１１内の薬剤含有水を、還元環境にするものである。
【０１２８】
また、水質調整物質含有水の注入と同時に、亜鉛注入系統２０の亜鉛含有水ポンプ２３を稼働して、酸性（ｐＨ３）の亜鉛含有水を循環系統１０の循環配管１１内に注入した。
【０１２９】
さらに、水質調整物質含有水の注入と同時に、鉄注入系統４０鉄含有水ポンプ４３を稼働して、鉄含有水を循環系統１０の循環配管１１内に注入した。
【０１３０】
また、水質調整物質含有水の注入と同時に、防食剤注入系統３０の防食剤含有水ポンプ３３を稼働して、弱アルカリ性の防食剤含有水を循環系統１０の循環配管１１内に注入した。防食剤含有水の注入の際、試験片近傍の薬剤含有水が２８８℃になるようにして、試験片の表面に酸化チタンを付着させた。薬剤含有水を２８８℃にしたのは、原子炉水を模したものである。
【０１３１】
なお、上記の亜鉛含有水、鉄含有水、および防食剤含有水の注入の際、適宜、水質調整物質注入系統５０の水質調整物質含有水ポンプ５３を稼働して、還元性の水質調整物質含有水を循環系統１０の循環配管１１内に注入した。
【０１３２】
上記処理の終了後、循環配管１１内から試験片９０を取り出した。
【０１３３】
図３は、実施例１で作製した試験片の模式的な断面図である。図３に示すように、試験片９０は、ステンレス鋼９２の表面に亜鉛含有酸化クロム層９３および鉄系酸化物層９４が順次形成されるとともに、鉄系酸化物層９４の表面に酸化チタン粒子９５が付着したものになっていた。亜鉛含有酸化クロム層９３は、亜鉛が酸化クロム皮膜に取り込まれたものであった。
【０１３４】
ここで、防食剤注入系統３０での防食剤含有水の注入による酸化チタン粒子９５の付着について説明する。
【０１３５】
図４は、酸化チタンのゼータ電位を示すグラフである。ここで、ゼータ電位は、絶対値が大きくなるほど、粒子同士の反発力が大きくなり分散性が高くなることを示す。一方、ゼータ電位は、ゼロに近い値になるほど、粒子同士の反発力が小さくなるため凝集しやすくなることを示す。
【０１３６】
図４に示すように、酸化チタンのゼータ電位はｐＨ値の変化に伴って変化する。具体的には、中性条件下では、酸化チタン分散水溶液のゼータ電位はほとんどゼロに近い値となるため、酸化チタン分散水溶液は酸化チタン粒子が凝集しやすくなる。一方、アルカリ性条件下では、酸化チタン分散水溶液のゼータ電位はマイナスの値となり絶対値が大きくなるため、酸化チタン分散水溶液は酸化チタン粒子の分散性が高くなる。
【０１３７】
このため、本実施例のように、循環系統１０の循環配管１１内の薬剤含有水中に、酸性（ｐＨ３）の亜鉛含有水が注入されると同時に、循環配管１１に弱アルカリ性の防食剤含有水（酸化チタン粒子分散水）が注入されると、循環配管１１内の薬剤含有水は中和により中性またはその近傍のｐＨ値を示すようになる。このため、循環配管１１内の薬剤含有水では、酸化チタン粒子が中性条件下に存在することになり、酸化チタン粒子が試験片に付着しやすくなる。このメカニズムのために、試験片９０の表面に酸化チタン粒子が良好に付着していると考えられる。
【０１３８】
（腐食電位の測定）
酸化チタンは紫外線を吸収し、励起電流を発生させることで下地金属の腐食電位を低下させることが知られている。このため、酸化チタン粒子が表面に付着した試験片９０を用いて腐食電位を測定した。
【０１３９】
測定条件は、温度２８８℃、溶存酸素濃度２５０ｐｐｂ、溶存水素濃度１０ｐｐｂ、過酸化水素濃度２００ｐｐｂのＮＷＣ水質（Normal Water Chemistry：通常水質）条件下とした。
【０１４０】
図５は、試験片９０の腐食電位測定結果を示すグラフである。図５に示すように、試験片に紫外線が照射されると、これに応答して試験片の腐食電位は低下した。図５から、表面に酸化チタンが存在すると、金属材料は腐食電位低下が起こり応力腐食割れを抑制できることが分かった。
【０１４１】
なお、試験片９０は、ステンレス鋼９２の表面に、亜鉛が酸化クロム皮膜に取り込まれてなる亜鉛含有酸化クロム層９３が形成されている。このため、試験片９０は、亜鉛含有酸化クロム層９３の亜鉛と、酸化チタン粒子９５の酸化チタンとの相乗効果によりＣｏ６０の付着抑制効果が期待できる。本実施例により、薬剤注入システム１を用いると、応力腐食割れ抑制とＣｏ６０の付着抑制とを同時に発現させることが可能であることが分かった。
【０１４２】
［実施例２］
図１に示した薬剤注入システム１を用い、炭素鋼の表面への酸化チタン付着試験を行った。
【０１４３】
（試験片の準備）
炭素鋼を試験片とした。
【０１４４】
（薬剤注入システムの準備）
循環系統１０の循環配管１１内に試験片を配置し、循環系統１０の循環ループに純水を循環させた。
【０１４５】
防食剤注入系統３０の防食剤含有水タンク３１に、防食剤含有水として、酸化チタン粒子を３質量％含有する弱アルカリ性分散水を充填した。
【０１４６】
鉄注入系統４０の鉄含有水タンク４１に、鉄含有水として、クエン酸鉄を１質量％含有する中性溶液を充填した。
【０１４７】
水質調整物質注入系統５０の水質調整物質含有水タンク５１に、水質調整物質含有水として、１質量％のアンモニアを含有する飽和溶存水素溶液を充填した。飽和溶存水素溶液は、循環系統１０の循環ループ中の環境をアルカリ性環境下にするとともに溶存酸素濃度を低下させ還元環境下にするためのものである。
【０１４８】
（薬剤注入システムの稼働）
水質調整物質注入系統５０の水質調整物質含有水ポンプ５３を稼働して、還元性かつアルカリ性の水質調整物質含有水を循環系統１０の循環配管１１内に注入した。還元性かつアルカリ性の水質調整物質含有水は、循環系統１０の循環配管１１内の薬剤含有水を、アルカリ性にするとともに、溶存酸素濃度がゼロに近い還元環境にするものである。
【０１４９】
また、水質調整物質含有水の注入と同時に、鉄注入系統４０の鉄含有水ポンプ４３を稼働して、鉄含有水を循環系統１０の循環配管１１内に注入した。
【０１５０】
さらに、水質調整物質含有水の注入と同時に、防食剤注入系統３０の防食剤含有水ポンプ３３を稼働して、弱アルカリ性の防食剤含有水を循環系統１０の循環配管１１内に注入した。防食剤含有水の注入の際、試験片近傍の薬剤含有水が２８８℃になるようにして、試験片の表面に酸化チタンを付着させた。薬剤含有水を２８８℃にしたのは、原子炉水を模したものである。
【０１５１】
なお、上記の亜鉛含有水、鉄含有水、および防食剤含有水の注入の際、適宜、水質調整物質注入系統５０の水質調整物質含有水ポンプ５３を稼働して、還元性かつアルカリ性の水質調整物質含有水を循環系統１０の循環配管１１内に注入した。
【０１５２】
循環系統１０の循環ループ内の薬剤含有水は、還元性かつアルカリ性の水質調整物質含有水の注入により、注入部周辺は、ほとんど酸素が存在しない還元性、かつアルカリ性の環境下になっている。この状態の薬剤含有水中に、酸化チタンと鉄が共存すると、イルメナイトＦｅＴｉＯ３を生成しやすい条件になる。このため、炭素鋼からなる試験片の表面には、イルメナイトＦｅＴｉＯ３層が形成される。
【０１５３】
上記処理の終了後、循環配管１１内から試験片９０Ａを取り出した。
【０１５４】
図６は、実施例２で作製した試験片の模式的な断面図である。図６に示すように、試験片９０Ａは、炭素鋼９６の表面にマグネタイト皮膜９７およびＦｅＴｉＯ３皮膜９８が順次形成されるとともに、ＦｅＴｉＯ３皮膜９８の表面に酸化チタン粒子９５が付着したものになっていた。
【０１５５】
（減肉試験）
試験片９０Ａを用いて減肉試験を行った。減肉試験は、脱気した中性１８０℃の高流速条件下で行った。
【０１５６】
図７は、試験片９０Ａの減肉試験結果を示すグラフである。図７中、左側に示すグラフが実施例２の測定結果であり、右側に示すグラフが参考例の測定結果である。この参考例は、炭素鋼の表面にマグネタイト皮膜およびＦｅ３Ｏ４皮膜が順次形成されたものである。
【０１５７】
図７から、酸化チタンが付着した試験片９０Ａは、酸化チタンが付着しない参考例の試験片に比べて減肉抑制効果が大きいことが分かった。
【０１５８】
本実施例により、薬剤注入システム１を用いると、鉄と酸化チタンの同時注入により、発電プラント２の水使用系統に用いられる炭素鋼の減肉抑制効果を発現させることが可能であることが分かった。
【０１５９】
また、循環ループ内での薬剤含有水の存在時間を長くし、かつ、温度を上げ、循環ループ内で酸化チタンと鉄とを反応させることにより、たとえば、循環系統１０の循環配管１１の内面に、イルメナイトを生成させ、減肉抑制効果を発現させることもできる。
【０１６０】
［実施例３］
図１に示した薬剤注入システム１を用い、ステンレス鋼の表面への酸化チタン付着試験を行った。
【０１６１】
（試験片の準備）
ステンレス鋼を水素存在下で処理して、ステンレス鋼の表面に酸化クロム皮膜を形成させ、試験片を作製した。
【０１６２】
（薬剤注入システムの準備）
循環系統１０の循環配管１１内に試験片を配置し、循環系統１０の循環ループに純水を循環させた。
【０１６３】
亜鉛注入系統２０の亜鉛含有水タンク２１に、亜鉛含有水として、酸化亜鉛ＺｎＯを１質量％含有する酸性（ｐＨ３）の水溶液を充填した。
【０１６４】
防食剤注入系統３０の防食剤含有水タンク３１に、防食剤含有水として、酸化チタン粒子を３質量％含有しｐＨが１０を超える弱アルカリ性分散水を充填した。
【０１６５】
鉄注入系統４０の鉄含有水タンク４１に、鉄含有水として、クエン酸鉄を１質量％含有する中性溶液を充填した。
【０１６６】
（薬剤注入システムの稼働）
循環系統１０の循環配管１１への、亜鉛含有水、鉄含有水、および防食剤含有水の注入を、同時に行った。
【０１６７】
すなわち、循環系統１０の循環配管１１内に、亜鉛注入系統２０の亜鉛含有水ポンプ２３を稼働して酸性（ｐＨ３）の亜鉛含有水を注入し、鉄注入系統４０鉄含有水ポンプ４３を稼働して鉄含有水を注入し、防食剤注入系統３０の防食剤含有水ポンプ３３を稼働して弱アルカリ性の防食剤含有水を注入した。
【０１６８】
なお、本実施例では、循環系統１０の循環配管１１内への亜鉛含有水、鉄含有水、および防食剤含有水の注入流量の比率を変える試験を行った。
【０１６９】
すなわち、はじめに、注入する防食剤含有水中の酸化チタンの濃度（以下、「酸化チタン濃度」という）と、注入する亜鉛含有水中の酸化亜鉛ＺｎＯの濃度（以下、「酸化亜鉛濃度」という）と、注入する鉄含有水中のクエン酸鉄の濃度（以下、「クエン酸鉄濃度」という）とが、「酸化チタン濃度：酸化亜鉛濃度：クエン酸鉄濃度」の比率で「１：０．０１未満：１」になるように注入流量の比率を設定した。
【０１７０】
この状態で、循環系統１０の循環配管１１内に試験片を配置して試験片の表面に酸化チタンを付着させ、酸化チタンの付着量を定量した。
【０１７１】
図８は、酸化チタン付着量結果を示すグラフである。「酸化チタン濃度：酸化亜鉛濃度：クエン酸鉄濃度」の比率が「１：０．０１未満：１」の場合の試験片への酸化チタンの付着量は、図８中のＡ領域、すなわちｐＨ１０以上の領域のグラフで示される付着量とほぼ一致した。
【０１７２】
次に、「酸化チタン濃度：酸化亜鉛濃度：クエン酸鉄濃度」の比率が「１：１００：１」になるように注入流量の比率を設定した。この状態で、循環系統１０の循環配管１１内に試験片を配置して試験片の表面に酸化チタンを付着させ、酸化チタンの付着量を定量した。
【０１７３】
「酸化チタン濃度：酸化亜鉛濃度：クエン酸鉄濃度」の比率が「１：１００：１」の場合の試験片への酸化チタンの付着量は、図８中のＣ領域、すなわちｐＨ３未満の領域のグラフで示される付着量とほぼ一致した。
【０１７４】
また、「酸化チタン濃度：酸化亜鉛濃度：クエン酸鉄濃度」の比率を適宜変えて試験を行い、図８に示すグラフを得た。
【０１７５】
図８より、薬剤含有水がｐＨ３未満の酸性領域または１０以上のアルカリ性領域であると、酸化チタンが充分に付着しないことが分かる。一方、薬剤含有水がｐＨ３以上１０未満の範囲（図８中のＢ領域）内にあると、試験片への酸化チタンの付着量が大きくなることが分かる。
【０１７６】
このように、酸化チタンを他の物質とともに循環系統１０の循環配管１１内に注入するときは、循環配管１１内の薬剤含有水のｐＨ値に充分に注意する必要がある。
【０１７７】
本実施例は、酸化チタンの付着量が薬剤含有水のｐＨと関係があり、弱酸性〜弱アルカリ性のｐＨ領域で酸化チタンの付着量が大きく、好ましい条件であることを見出した。しかし、酸化チタン以外の酸化亜鉛、クエン酸鉄等の各化学種についても、各化学種がそれぞれの効果を発現するためには、薬剤含有水のｐＨや温度等に好適な条件が存在する。このため、発電プラントの水使用系統中の金属構造材表面の被覆を最適な条件で行うためには、各化学種が充分に機能を発揮できるような条件で作製した薬剤含有水を発電プラントの水使用系統中に流通させることが好ましい。
【０１７８】
しかし、従来技術のように、発電プラントの水使用系統に、亜鉛注入系統、防食剤注入系統、鉄注入系統、水質調整物質注入系統等がそれぞれ単独で設けられる場合は、亜鉛注入系統等の各系統において水質や注入量を制御するため、発電プラントの水使用系統内の薬剤含有水を好適な条件にすることが困難であった。
【０１７９】
これに対し、本発明に係る薬剤注入システムでは、薬剤注入システム内においてｐＨや各化学種の濃度等の諸条件を最適に調製した薬剤含有水を発電プラントの水使用系統中に注入するため、発電プラントの水使用系統中の薬剤含有水を好適な条件にすることが容易である。
【符号の説明】
【０１８０】
１  薬剤注入システム
２  発電プラント
５  発電プラント用配管
１０  循環系統
１１  循環配管
１２  循環ポンプ
１３  混合槽
１４  バルブ
１５  外部ヒーター
１８  混合槽バイパス配管
１９  バルブ
２０  亜鉛注入系統
２１  亜鉛含有水タンク
２２  亜鉛含有水配管
２３  亜鉛含有水ポンプ
３０  防食剤注入系統
３１  防食剤含有水タンク
３２  防食剤含有水配管
３３  防食剤含有水ポンプ
４０  鉄注入系統
４１  鉄含有水タンク
４２  鉄含有水配管
４３  鉄含有水ポンプ
５０  水質調整物質注入系統
５１  水質調整物質含有水タンク
５２  水質調整物質含有水配管
５３  水質調整物質含有水ポンプ
６０  サンプリング系統
６２  サンプリング配管
６３  バルブ
７０  分析装置
７１  データ通信ライン
７２  溶液サンプル（薬剤含有水）
８０  薬剤含有水制御装置
８１  データ格納部
８２  演算制御部
８５ａ、８５ｂ、８５ｃ、８５ｄ、８５ｅ、８５ｆ  データ通信ライン
９０、９０Ａ  試験片
９２  ステンレス鋼
９３  亜鉛含有酸化クロム層
９４  鉄系酸化物層
９５  酸化チタン粒子
９６  炭素鋼
９７  マグネタイト皮膜
９８  ＦｅＴｉＯ３皮膜
【図１】
2011163828.tif 000003
【図２】
2011163828.tif 000004
【図３】
2011163828.tif 000005
【図４】
2011163828.tif 000006
【図５】
2011163828.tif 000007
【図６】
2011163828.tif 000008
【図７】
2011163828.tif 000009
【図８】
2011163828.tif 000010